(57)【要約】【課題】様々な検査に適用される検査支援装置を提供する。【解決手段】入力装置４１を介して入力された情報に基づいて検査対象を複数の検査対象場所に分割する作業対象場所設定部５１と、その複数の検査対象場所に対応する複数の計測結果を複数の携帯端末から収集する計測結果収集部５５と、その複数の計測結果に基づいて作成された計測結果マップを表示装置４２に表示する計測結果マップ作成部５６とを備えている。このような検査支援装置５−ｉは、さらに、検査に応じて複数の検査対象場所が適切に設定されることにより、様々な検査で検査対象を適切に検査することができる。【選択図】図６
2015121871.tif 000002
【特許請求の範囲】
【請求項１】
入力装置を介して入力された情報に基づいて検査対象を複数の検査対象場所に分割する作業対象場所設定部と、
前記複数の検査対象場所に対応する複数の計測結果を複数の携帯端末から収集する計測結果収集部と、
前記複数の計測結果に基づいて作成された計測結果マップを表示装置に表示する計測結果マップ作成部とを備え、
前記複数の計測結果のうちの任意の検査対象場所に対応する計測結果は、前記任意の検査対象場所が検査されることにより生成され、
前記計測結果マップは、前記検査対象を前記複数の検査対象場所に対応する複数の検査対象場所図形により表現し、前記複数の検査対象場所図形のうちの前記任意の検査対象場所に対応する検査対象場所図形を前記複数の計測結果のうちの前記任意の検査対象場所に対応する計測結果に対応する色で表示する検査支援装置。
【請求項２】
前記複数の検査対象場所に対応する複数の進捗を示す進捗マップを前記複数の携帯端末に配信する進捗マップ配信部と、
前記複数の携帯端末のうちの携帯端末から作業中検査対象場所に対応付けられた進捗情報が収集されたときに、前記複数の進捗のうちの前記作業中検査対象場所に対応する進捗が更新されるように、進捗マップを更新する進捗マップ更新部とをさらに備える請求項１に記載される検査支援装置。
【請求項３】
前記進捗マップは、前記検査対象を前記複数の検査対象場所に対応する複数の検査対象場所図形により表現し、前記複数の検査対象場所図形のうちの前記任意の検査対象場所に対応する検査対象場所図形を、前記複数の進捗のうちの前記任意の検査対象場所に対応する進捗に対応する色で表示する請求項２に記載される検査支援装置。
【請求項４】
前記進捗マップに基づいて作成された人員不足情報をセンターサーバに送信する人員不足計算部をさらに備え、
前記センターサーバは、複数の検査支援装置からそれぞれ収集された複数の人員不足情報に基づいて、前記複数の検査支援装置に対応する複数の工事に複数の作業者を割り当てる作業者割当情報を更新する請求項２〜請求項３のうちのいずれか一項に記載される検査支援装置。
【請求項５】
前記入力装置を介して入力された情報に基づいて入力欄を有する入力画面を作成する入力画面設定部と、
前記入力画面を前記複数の携帯端末に配信する入力画面配信部とをさらに備え、
前記計測結果収集部は、前記複数の携帯端末の任意の携帯端末に前記入力画像が表示されたときに前記入力欄に入力された計測結果を前記任意の携帯端末から収集する請求項１〜請求項４のうちのいずれか一項に記載される検査支援装置。
【請求項６】
前記入力装置を介して入力された情報に基づいてクライテリアを設定するクライテリア設定部をさらに備え、
前記入力画面配信部は、前記クライテリアを前記入力画面とともに前記複数の携帯端末に配信する請求項５に記載される検査支援装置。
【請求項７】
前記計測結果マップは、前記複数の計測結果情報のうちの前記任意の検査対象場所に対応する計測結果情報が前記クライテリアを満足するときに、前記複数の検査対象場所図形のうちの前記任意の検査対象場所に対応する検査対象場所図形を第１色で表示し、前記計測結果情報が前記クライテリアを満足しないときに、前記第１色と異なる第２色で前記検査対象場所図形を表示する請求項６に記載される検査支援装置。
【請求項８】
携帯端末入力装置を介して入力された計測結果を記憶装置に記録する計測結果入力部と、
無線通信を介して前記計測結果を検査支援装置に送信する計測結果送信部と、
前記計測結果が前記現地サーバに送信された後に前記記憶装置から前記計測結果情報を消去する計測結果削除部とを備える携帯端末。
【請求項９】
前記計測結果入力部は、前記計測結果が入力される前に前記携帯端末入力装置を介して入力された検査方法と作業対象場所とに対応付けて前記計測結果を記憶装置に記録する請求項８に記載される携帯端末。
【請求項１０】
前記携帯端末入力装置は、カメラを含み、
前記計測結果情報は、前記カメラにより撮影された画像を含む請求項９に記載される携帯端末。
【請求項１１】
前記計測結果が入力される前に前記検査支援装置から配信されたクライテリアを前記計測結果が満足しないときに、警報を出力装置に出力させるアラート部をさらに備える請求項８〜請求項１０のうちのいずれか一項に記載される携帯端末。
【請求項１２】
複数の工事に複数の作業者集合を対応付けるスケジュールを作成するスケジュール作成部と、
前記複数の工事に対応する複数の人員不足情報を複数の現地サーバからそれぞれ収集する人員不足情報収集部と、
前記複数の人員不足情報に基づいて前記スケジュールの更新が必要であると判定されたときに、前記スケジュールを更新するリスケジューリング部とを備え、
前記複数の人員不足情報のうちの１つの工事に対応する人員不足情報は、前記１つの工事で計画された進捗と前記１つの工事で実行された進捗との差を示すセンターサーバ。
【請求項１３】
前記スケジュールは、複数の作業者を複数のスキル情報に対応付けるテーブルを参照して、前記複数の工事に複数の必要スキルを対応付けるオーダ情報に基づいて作成され、
前記複数の作業者集合のうちの任意の工事に対応する作業者集合に属する任意の作業者は、前記複数のスキルのうちの前記任意の作業者に対応するスキルが前記複数の必要スキルのうちの前記任意の工事に対応する必要スキルを満足する請求項１２に記載されるセンターサーバ。
【請求項１４】
前記オーダ情報は、前記複数の工事に複数の除外作業者をさらに対応付け、
前記スケジュールは、前記複数の作業者集合のうちの任意の工事に対応する作業者集合が、前記複数の除外作業者のうちの前記任意の工事に対応する除外作業者を含まないように、作成される請求項１３に記載されるセンターサーバ。
【請求項１５】
入力装置を介して入力された情報に基づいて検査対象を複数の検査対象場所に分割すること、
前記複数の検査対象場所に対応する複数の計測結果を複数の携帯端末から収集すること、
前記複数の計測結果に基づいて作成された計測結果マップを表示装置に表示することを備え、
前記複数の計測結果のうちの任意の検査対象場所に対応する計測結果は、前記任意の検査対象場所が検査されることにより生成され、
前記計測結果マップは、前記検査対象を前記複数の検査対象場所に対応する複数の検査対象場所図形により表現し、前記複数の検査対象場所図形のうちの前記任意の検査対象場所に対応する検査対象場所図形を前記複数の計測結果のうちの前記任意の検査対象場所に対応する計測結果に対応する色で表示する検査支援方法。
【請求項１６】
前記複数の検査対象場所に対応する複数の進捗を示す進捗マップを前記複数の携帯端末に配信すること、
前記複数の携帯端末のうちの携帯端末から作業中検査対象場所に対応付けられた進捗情報が収集されたときに、前記複数の進捗のうちの前記作業中検査対象場所に対応する進捗が更新されるように、進捗マップを更新することとをさらに備える請求項１５に記載される検査支援方法。
【請求項１７】
前記進捗マップは、前記検査対象を前記複数の検査対象場所に対応する複数の検査対象場所図形により表現し、前記複数の検査対象場所図形のうちの前記任意の検査対象場所に対応する検査対象場所図形を、前記複数の進捗のうちの前記任意の検査対象場所に対応する進捗に対応する色で表示する請求項１６に記載される検査支援方法。
【請求項１８】
前記進捗マップに基づいて作成された人員不足情報をセンターサーバに送信することをさらに備え、
前記センターサーバは、複数の検査支援装置からそれぞれ収集された複数の人員不足情報に基づいて、前記複数の検査支援装置に対応する複数の工事に複数の作業者を割り当てる作業者割当情報を更新する請求項１６〜請求項１７のうちのいずれか一項に記載される検査支援方法。
【請求項１９】
前記入力装置を介して入力された情報に基づいて入力欄を有する入力画面を作成すること、
前記入力画面を前記複数の携帯端末に配信することとを備え、
前記複数の携帯端末の任意の携帯端末に前記入力画像が表示されたときに前記入力欄に入力された計測結果が前記任意の携帯端末から収集される請求項１５〜請求項１８のうちのいずれか一項に記載される検査支援方法。
【請求項２０】
前記入力装置を介して入力された情報に基づいてクライテリアを設定することをさらに備え、
前記クライテリアは、前記入力画面とともに前記複数の携帯端末に配信される請求項１９に記載される検査支援方法。
【請求項２１】
請求項１５〜請求項２０のうちのいずれか一項に記載される検査支援方法をコンピュータに実行させるためのコンピュータプログラム。
【発明の詳細な説明】
【技術分野】
【０００１】
本発明は、検査支援装置および検査支援方法に関し、特に、検査対象を検査するときに利用される検査支援装置および検査支援方法に関する。
【背景技術】
【０００２】
陸用ボイラに例示される大規模なプラントにおける設備の定期点検が多人数の検査員により実施されていることが知られている。
【０００３】
特開２００７−１４９０７０号公報には、大規模プラントなどの点検項目数が非常に多い設備保守点検作業において、作業効率化をはかり、点検結果データの信頼性を高める設備点検支援システムが開示されている。設備点検支援システムは、コンテンツ格納部の点検項目コンテンツを選択して端末装置に送出とともに端末装置から送信される点検結果データを受付ける保守点検管理部と、保守点検管理部が端末装置に対して送信する点検項目コンテンツと端末装置から送信される点検結果データとに基づいて状態情報取得タイミングを決定するタイミング決定部と、決定した状態情報取得タイミングに基づいて状態情報を収集する状態情報取得部と、保守点検管理部により受付けた点検結果データおよび状態情報取得部で収集した状態情報を関連付ける対応テーブルを作成する結果データ制御部と、点検結果データ、状態情報および結果データ対応テーブルを格納する点検結果格納部とを備えている。
【先行技術文献】
【特許文献】
【０００４】
【特許文献１】特開２００７−１４９０７０号公報
【発明の概要】
【発明が解決しようとする課題】
【０００５】
作業者は、作業対象場所を検査した後に、詰所に戻り、現地監督者から次に検査する作業対象場所を指示される必要がある。作業者は、さらに、検査結果の良否を確認するときに、詰所に戻り、現地監督者に問い合わせる必要がある。複数の作業対象場所の検査結果をまとめる浄書係は、作業者が紙に記載した検査結果をコンピュータに入力する必要がある。複数の工事に作業者を割り当てるスケジュール管理者は、割り当てを更新するときに、複数の工事の進捗を複数の現地監督者に問い合わせる必要がある。検査対象を適切に検査することが望まれ、検査に要する時間を短縮することが望まれている。
【０００６】
本発明の課題は、検査対象を適切に検査する検査支援装置および検査支援方法を提供することにある。
本発明の他の課題は、作業者が検査対象場所間を移動する移動時間を短縮する検査支援装置および検査支援方法を提供することにある。
本発明のさらに他の課題は、複数の作業対象場所の検査の進捗を分かりやすく作業者に通知する検査支援装置および検査支援方法を提供することにある。
本発明のさらに他の課題は、複数の作業対象場所の計測結果のデータ整理を容易にする検査支援装置および検査支援方法を提供することにある。
本発明のさらに他の課題は、複数の工事への複数の作業者の割り当てを適切に更新する検査支援装置および検査支援方法を提供することにある。
【課題を解決するための手段】
【０００７】
本発明による検査支援装置は、入力装置を介して入力された情報に基づいて検査対象を複数の検査対象場所に分割する作業対象場所設定部と、前記複数の検査対象場所に対応する複数の計測結果を複数の携帯端末から収集する計測結果収集部と、前記複数の計測結果に基づいて作成された計測結果マップを表示装置に表示する計測結果マップ作成部とを備えている。このとき、前記複数の計測結果のうちの任意の検査対象場所に対応する計測結果は、前記任意の検査対象場所が検査されることにより生成される。前記計測結果マップは、前記検査対象を前記複数の検査対象場所に対応する複数の検査対象場所図形により表現し、前記複数の検査対象場所図形のうちの前記任意の検査対象場所に対応する検査対象場所図形を前記複数の計測結果のうちの前記任意の検査対象場所に対応する計測結果に対応する色で表示する。
【０００８】
このような検査支援装置は、計測結果マップを作成することより、複数の検査対象場所の計測結果をわかりやすく表現することができる。このような検査支援装置は、さらに、検査に応じて複数の検査対象場所が適切に設定されることにより、様々な検査で検査対象を適切に検査することができる。
【０００９】
本発明による検査支援装置は、前記複数の検査対象場所に対応する複数の進捗を示す進捗マップを前記複数の携帯端末に配信する進捗マップ配信部と、前記複数の携帯端末のうちの携帯端末から作業中検査対象場所に対応付けられた進捗情報が収集されたときに、前記複数の進捗のうちの前記作業中検査対象場所に対応する進捗が更新されるように、進捗マップを更新する進捗マップ更新部とをさらに備えている。
【００１０】
このような検査支援装置は、適宜更新される進捗マップを複数の携帯端末に配信することにより、複数の携帯端末のユーザに複数の検査対象場所の進捗を早く通知することができる。さらに、作業者は、携帯端末を利用して進捗を取得することにより、複数の作業対象場所間を移動するときに詰所を経由する必要がなく、作業対象場所間の移動時間を短縮することができる。
【００１１】
前記進捗マップは、前記検査対象を前記複数の検査対象場所に対応する複数の検査対象場所図形により表現し、前記複数の検査対象場所図形のうちの前記任意の検査対象場所に対応する検査対象場所図形を、前記複数の進捗のうちの前記任意の検査対象場所に対応する進捗に対応する色で表示する。
【００１２】
このような検査支援装置は、複数の検査対象場所の進捗を携帯端末のユーザに分かりやすく通知することができる。
【００１３】
本発明による検査支援装置は、前記進捗マップに基づいて作成された人員不足情報をセンターサーバに送信する人員不足計算部をさらに備えている。このとき、前記センターサーバは、複数の検査支援装置からそれぞれ収集された複数の人員不足情報に基づいて、前記複数の検査支援装置に対応する複数の工事に複数の作業者を割り当てる作業者割当情報を更新する。
【００１４】
複数の工事に作業者を割り当てるスケジュール管理者は、センターサーバを用いて収集された複数の人員不足情報に基づいて作業者割当情報を適切に更新することができる。
【００１５】
本発明による検査支援装置は、前記入力装置を介して入力された情報に基づいて入力欄を有する入力画面を作成する入力画面設定部と、前記入力画面を前記複数の携帯端末に配信する入力画面配信部とをさらに備えている。このとき、前記計測結果収集部は、前記複数の携帯端末の任意の携帯端末に前記入力画像が表示されたときに前記入力欄に入力された計測結果を前記任意の携帯端末から収集する。
【００１６】
このような検査支援装置は、計測結果の形式に応じて入力欄が適切に設定されることにより、様々な検査で携帯端末への計測結果の入力を容易化することができる。
【００１７】
本発明による検査支援装置は、前記入力装置を介して入力された情報に基づいてクライテリアを設定するクライテリア設定部をさらに備えている。このとき、前記入力画面配信部は、前記クライテリアを前記入力画面とともに前記複数の携帯端末に配信する。
【００１８】
このような検査支援装置は、携帯端末に入力された計測結果がクライテリアを満足しているかどうかを携帯端末の出力装置に出力させることができ、携帯端末のユーザに計測結果の異常を早く通知することができる。
【００１９】
前記計測結果マップは、前記複数の計測結果情報のうちの前記任意の検査対象場所に対応する計測結果情報が前記クライテリアを満足するときに、前記複数の検査対象場所図形のうちの前記任意の検査対象場所に対応する検査対象場所図形を第１色で表示し、前記計測結果情報が前記クライテリアを満足しないときに、前記第１色と異なる第２色で前記検査対象場所図形を表示する。
【００２０】
このような検査支援装置は、複数の検査対象場所の計測結果をユーザに分かりやすく通知することができる。
【００２１】
本発明による携帯端末は、携帯端末入力装置を介して入力された計測結果を記憶装置に記録する計測結果入力部と、無線通信を介して前記計測結果を検査支援装置に送信する計測結果送信部と、前記計測結果が前記現地サーバに送信された後に前記記憶装置から前記計測結果情報を消去する計測結果削除部とを備えている。
【００２２】
このような携帯端末は、現地サーバに送信された計測結果を記憶装置から自動的に削除することにより、計測結果が情報漏えいすることを防止することができる。
【００２３】
前記計測結果入力部は、前記計測結果が入力される前に前記携帯端末入力装置を介して入力された検査方法と作業対象場所とに対応付けて前記計測結果を記憶装置に記録する。
【００２４】
このような携帯端末は、計測結果が検査方法と作業対象場所とに対応づけて保存することにより、作業者が記憶装置に記録された情報から所望の計測結果を検索することを容易化することができる。
【００２５】
前記携帯端末入力装置は、カメラを含んでいる。このとき、前記計測結果情報は、前記カメラにより撮影された画像を含んでいる。
【００２６】
このような携帯端末は、画像が検査方法と作業対象場所とに対応づけて保存することにより、作業者が記憶装置に記録された画像から所望の画像を検索することを容易化することができる。
【００２７】
本発明による携帯端末は、前記計測結果が入力される前に前記検査支援装置から配信されたクライテリアを前記計測結果が満足しないときに、警報を出力装置に出力させるアラート部をさらに備えている。
【００２８】
このような携帯端末は、計測結果の入力直後に警報を出力装置に出力させることにより、作業者に計測結果の異常を速く通知することができる。
【００２９】
本発明によるセンターサーバは、複数の工事に複数の作業者集合を対応付けるスケジュールを作成するスケジュール作成部と、前記複数の工事に対応する複数の人員不足情報を複数の現地サーバからそれぞれ収集する人員不足情報収集部と、前記複数の人員不足情報に基づいて前記スケジュールの更新が必要であると判定されたときに、前記スケジュールを更新するリスケジューリング部とを備えている。前記複数の人員不足情報のうちの１つの工事に対応する人員不足情報は、前記１つの工事で計画された進捗と前記１つの工事で実行された進捗との差を示している。
【００３０】
このようなセンターサーバは、複数の工事の進捗を収集することにより、進捗が進んでいる工事から進捗が遅れている工事に作業者を融通するスケジュールの更新の要否を適切に判定することができ、スケジュールを適切に更新することができる。
【００３１】
前記スケジュールは、複数の作業者を複数のスキル情報に対応付けるテーブルを参照して、前記複数の工事に複数の必要スキルを対応付けるオーダ情報に基づいて作成される。前記スケジュールは、前記複数の作業者集合のうちの任意の工事に対応する作業者集合に属する任意の作業者が、前記複数のスキルのうちの前記任意の作業者に対応するスキルが前記複数の必要スキルのうちの前記任意の工事に対応する必要スキルを満足するように、作成される。
【００３２】
このようなセンターサーバは、適切なスキルを有する作業者を複数の工事に割り当てることにより、複数の工事に複数の作業者を適切に割り当てることができ、スケジュールを適切に作成することができる。
【００３３】
前記オーダ情報は、前記複数の工事に複数の除外作業者をさらに対応付けている。このとき、前記スケジュールは、前記複数の作業者集合のうちの任意の工事に対応する作業者集合が、前記複数の除外作業者のうちの前記任意の工事に対応する除外作業者を含まないように、作成される。
【００３４】
このようなセンターサーバは、このようなオーダ情報を利用することにより、所定の工事に所定の作業者を割り当てないようにすることができ、スケジュールを適切に作成することができる。
【００３５】
本発明による検査支援方法は、入力装置を介して入力された情報に基づいて検査対象を複数の検査対象場所に分割すること、前記複数の検査対象場所に対応する複数の計測結果を複数の携帯端末から収集すること、前記複数の計測結果に基づいて作成された計測結果マップを表示装置に表示することを備えている。このとき、前記複数の計測結果のうちの任意の検査対象場所に対応する計測結果は、前記任意の検査対象場所が検査されることにより生成される。前記計測結果マップは、前記検査対象を前記複数の検査対象場所に対応する複数の検査対象場所図形により表現し、前記複数の検査対象場所図形のうちの前記任意の検査対象場所に対応する検査対象場所図形を前記複数の計測結果のうちの前記任意の検査対象場所に対応する計測結果に対応する色で表示する。
【００３６】
このような検査支援方法は、計測結果マップを作成することより、複数の検査対象場所の計測結果をわかりやすく表現することができる。このような検査支援方法は、さらに、検査に応じて複数の検査対象場所が適切に設定されることにより、様々な検査で検査対象を適切に検査することができる。
【００３７】
本発明による検査支援方法は、前記複数の検査対象場所に対応する複数の進捗を示す進捗マップを前記複数の携帯端末に配信すること、前記複数の携帯端末のうちの携帯端末から作業中検査対象場所に対応付けられた進捗情報が収集されたときに、前記複数の進捗のうちの前記作業中検査対象場所に対応する進捗が更新されるように、進捗マップを更新することとをさらに備えている。
【００３８】
このような検査支援方法は、適宜更新される進捗マップを複数の携帯端末に配信することにより、複数の携帯端末のユーザに複数の検査対象場所の進捗を早く通知することができる。さらに、作業者は、携帯端末を利用して進捗を取得することにより、複数の作業対象場所間を移動するときに詰所を経由する必要がなく、作業対象場所間の移動時間を短縮することができる。
【００３９】
前記進捗マップは、前記検査対象を前記複数の検査対象場所に対応する複数の検査対象場所図形により表現し、前記複数の検査対象場所図形のうちの前記任意の検査対象場所に対応する検査対象場所図形を、前記複数の進捗のうちの前記任意の検査対象場所に対応する進捗に対応する色で表示する。
【００４０】
このような検査支援方法は、複数の検査対象場所の進捗を携帯端末のユーザに分かりやすく通知することができる。
【００４１】
本発明による検査支援方法は、前記進捗マップに基づいて作成された人員不足情報をセンターサーバに送信することをさらに備えている。このとき、前記センターサーバは、複数の検査支援装置からそれぞれ収集された複数の人員不足情報に基づいて、前記複数の検査支援装置に対応する複数の工事に複数の作業者を割り当てる作業者割当情報を更新する。
【００４２】
複数の工事に作業者を割り当てるスケジュール管理者は、センターサーバを用いて収集された複数の人員不足情報に基づいて作業者割当情報を適切に更新することができる。
【００４３】
本発明による検査支援方法は、前記入力装置を介して入力された情報に基づいて入力欄を有する入力画面を作成すること、前記入力画面を前記複数の携帯端末に配信することとを備えている。このとき、前記複数の携帯端末の任意の携帯端末に前記入力画像が表示されたときに前記入力欄に入力された計測結果が前記任意の携帯端末から収集される。
【００４４】
このような検査支援方法は、計測結果の形式に応じて入力欄が適切に設定されることにより、様々な検査で携帯端末への計測結果の入力を容易化することができる。
【００４５】
本発明による検査支援方法は、前記入力装置を介して入力された情報に基づいてクライテリアを設定することをさらに備えている。このとき、前記クライテリアは、前記入力画面とともに前記複数の携帯端末に配信される。
【００４６】
このような検査支援方法は、携帯端末に入力された計測結果がクライテリアを満足しているかどうかを携帯端末の出力装置に出力させることができ、携帯端末のユーザに計測結果の異常を早く通知することができる。
【００４７】
本発明によるコンピュータプログラムは、本発明による検査支援方法をコンピュータに実行させることが好ましい。
【発明の効果】
【００４８】
本発明による検査支援装置および検査支援方法は、ユーザにより設定された複数の作業対象場所に対応する複数の計測結果を表示することにより、検査に適した領域の毎に検査することができ、様々な検査による計測結果をわかりやすく表現することができる。
【図面の簡単な説明】
【００４９】
【図１】検査支援装置が適用される検査支援システムを示すブロック図である。
【図２】センターサーバを示すブロック図である。
【図３】オーダ情報を示す図である。
【図４】人材テーブルを示す図である。
【図５】作業者割当情報を示す図である。
【図６】検査支援装置を示すブロック図である。
【図７】検査対象場所テーブルを示す図である。
【図８】入力画面を示す図である。
【図９】入力支援テーブルを示す図である。
【図１０】進捗マップを示す図である。
【図１１】携帯端末を示すブロック図である。
【図１２】計測結果を収集する動作を示すフローチャートである。
【図１３】進捗マップを配信する動作を示すフローチャートである。
【図１４】スケジュールを更新する動作を示すフローチャートである。
【発明を実施するための形態】
【００５０】
図面を参照して、検査支援装置の実施の形態が以下に記載される。その検査支援装置が適用される検査支援システム１は、図１に示されているように、インターネット２を介して互いに双方向に情報伝達可能に接続されている複数のコンピュータを備えている。複数のコンピュータは、センターサーバ３と複数の検査支援装置５−１〜５−ｎ（ｎ＝２，３，４，…）とを含んでいる。なお、インターネット２は、他の通信回線網に置換されることができる。通信回線網としては、専用回線網が例示される。
【００５１】
検査支援システム１は、さらに、複数の携帯端末を備えている。複数の携帯端末は、複数の検査支援装置５−１〜５−ｎの任意の検査支援装置５−ｉ（ｉ＝１，２，３，…，ｎ）に無線ＬＡＮ（Ｌｏｃａｌ  Ａｒｅａ  Ｎｅｔｗｏｒｋ）６を介して互いに双方向に情報伝達可能に接続されている複数の携帯端末７−１〜７−ｍ（ｍ＝２，３，４，…）を含んでいる。
【００５２】
図２は、センターサーバ３を示している。センターサーバ３は、図示されていないＣＰＵ（Ｃｅｎｔｒａｌ  Ｐｒｏｃｅｓｓｉｎｇ  Ｕｎｉｔ）と記憶装置とメモリドライブと通信装置とを備え、入力装置１１と表示装置１２とを備えている。ＣＰＵは、センターサーバ３にインストールされるコンピュータプログラムを実行することにより、記憶装置とメモリドライブと通信装置とを制御し、入力装置１１と表示装置１２とを制御する。記憶装置は、コンピュータプログラムを記録する。記憶装置は、さらに、ＣＰＵにより利用される情報を記録する。メモリドライブは、コンピュータプログラムが記録されている記録媒体が挿入されたときに、コンピュータプログラムをセンターサーバ３にインストールするときに利用される。通信装置は、通信回線網を介してセンターサーバ３に接続される他のコンピュータからコンピュータプログラムをセンターサーバ３にダウンロードし、コンピュータプログラムをセンターサーバ３にインストールするときに利用される。
【００５３】
入力装置１１は、ユーザに操作されることにより情報を生成し、その情報をＣＰＵに出力する。入力装置１１としては、キーボード、ポインティングデバイス、タッチパネルが例示される。表示装置１２は、表示面を備え、ＣＰＵにより生成される画像を表示面に表示する。
【００５４】
センターサーバ３にインストールされるコンピュータプログラムは、センターサーバ３に複数の機能をそれぞれ実現させるための複数のコンピュータプログラムから形成されている。その複数の機能は、オーダ情報作成部１４とスケジュール作成部１５と人員不足情報収集部１６とリスケジューリング部１７とを含んでいる。
【００５５】
オーダ情報作成部１４は、入力装置１１を介して入力された情報に基づいてオーダ情報を作成する。スケジュール作成部１５は、記憶装置に予め記録されている人材テーブルとオーダ情報作成部１４により作成されたオーダ情報とに基づいて作業者割当情報を作成する。スケジュール作成部１５は、さらに、作業者割当情報を複数の検査支援装置５−１〜５−ｎに配信する。人員不足情報収集部１６は、複数の検査支援装置５−１〜５−ｎから複数の人員不足情報をそれぞれ収集する。
【００５６】
リスケジューリング部１７は、人員不足情報収集部１６により収集された複数の人員不足情報に基づいて、スケジュール作成部１５により作成された作業者割当情報を更新する必要があるかどうかを判定する。リスケジューリング部１７は、スケジュール作成部１５により作成された作業者割当情報を更新する必要があるときに、記憶装置に予め記録されている人材テーブルとオーダ情報作成部１４により作成されたオーダ情報と人員不足情報収集部１６により収集された複数の人員不足情報とに基づいて、作業者割当情報を更新する。
【００５７】
図３は、オーダ情報作成部１４により作成されたオーダ情報を示している。そのオーダ情報２０は、複数の工事２１を複数の検査対象２２と複数の検査項目２３と複数の期間２４に対応付けている。すなわち、複数の工事２１のうちの任意の工事は、複数の検査対象２２のうちの１つの検査対象に対応し、複数の検査項目２３のうちの１つの検査項目に対応し、複数の期間２４のうちの１つの期間に対応している。複数の検査対象２２のうちのある工事に対応する検査対象は、その工事が実行される対象を示し、たとえば、陸用ボイラを示している。複数の検査対象２２は、複数の検査支援装置５−１〜５−ｎに対応している。複数の検査項目２３のうちのある工事に対応する検査項目は、その工事で検査対象に対して実行される複数の検査方法を示している。複数の期間２４のうちのある工事に対応する期間は、その工事が実行される期間を示し、その工事が開始される日とその工事が終了される日とを示している。
【００５８】
オーダ情報２０は、さらに、複数の人数情報２５と複数の必要スキル２６と複数の固定作業者２７と複数の除外作業者２８とに対応付けている。複数の人数情報２５のうちのある工事に対応する人数情報は、その工事に割り合てられる作業者の人数を示している。複数の必要スキル２６のうちのある工事に対応する必要スキルは、その工事に割り合てられる作業者に必要であるスキルの条件を示している。複数の固定作業者２７のうちのある工事に対応する固定作業者は、その工事に割り合てられる作業者を示している。複数の除外作業者２８のうちのある工事に対応する除外作業者は、その工事に割り合てない作業者を示している。
【００５９】
図４は、センターサーバ３で利用される人材テーブルを示している。その人材テーブル３１は、複数の作業者３２を複数のスキル３３に対応付けている。複数のスキル３３のうちのある作業者に対応するスキルは、その作業者のスキルを示し、たとえば、その作業者の資格、経験年数等を示している。
【００６０】
図５は、スケジュール作成部１５により作成される作業者割当情報を示している。その作業者割当情報３５は、複数の工事２１を複数の作業者集合３７に対応付けている。複数の作業者集合３７のうちのある工事に対応する作業者集合は、その工事に割り当てられる複数の作業者を示している。
【００６１】
図６は、検査支援装置５−ｉを示している。検査支援装置５−ｉは、図示されていないＣＰＵと記憶装置とメモリドライブと通信装置とを備え、入力装置４１と表示装置４２とを備えている。ＣＰＵは、検査支援装置５−ｉにインストールされるコンピュータプログラムを実行することにより、記憶装置とメモリドライブと通信装置とを制御し、入力装置４１と表示装置４２とを制御する。記憶装置は、コンピュータプログラムを記録する。記憶装置は、さらに、ＣＰＵにより利用される情報を記録する。メモリドライブは、コンピュータプログラムが記録されている記録媒体が挿入されたときに、コンピュータプログラムを検査支援装置５−ｉにインストールするときに利用される。通信装置は、通信回線網を介して検査支援装置５−ｉに接続される他のコンピュータからコンピュータプログラムを検査支援装置５−ｉにダウンロードし、コンピュータプログラムを検査支援装置５−ｉにインストールするときに利用される。
【００６２】
入力装置４１は、ユーザに操作されることにより情報を生成し、その情報をＣＰＵに出力する。入力装置４１としては、キーボード、ポインティングデバイス、タッチパネルが例示される。表示装置４２は、表示面を備え、ＣＰＵにより生成される画像を表示面に表示する。
【００６３】
検査支援装置５−ｉにインストールされるコンピュータプログラムは、検査支援装置５−ｉに複数の機能をそれぞれ実現させるための複数のコンピュータプログラムから形成されている。その複数の機能は、作業対象場所設定部５１とクライテリア設定部５２と入力画面設定部５３と入力画面配信部５４と計測結果収集部５５と計測結果マップ作成部５６と進捗マップ更新部５７と進捗マップ配信部５８と人員不足計算部５９とレポート作成部６０とを含んでいる。
【００６４】
作業対象場所設定部５１は、入力装置４１を介して入力された情報に基づいて検査対象場所テーブルを作成する。
【００６５】
クライテリア設定部５２は、入力装置４１を介して入力された情報に基づいて複数のクライテリアを設定する。入力画面設定部５３は、入力装置４１を介して入力された情報に基づいて複数の入力画面を作成し、複数の入力画面ごとに複数の入力支援テーブルを作成する。
【００６６】
入力画面配信部５４は、無線ＬＡＮ６を介して携帯端末７−ｊから所定の情報が受信されたときに、無線ＬＡＮ６を介して携帯端末７−ｊに、入力画面設定部５３により作成された複数の入力画面のうちの１つの入力画面と、その入力画面に対応する複数の入力支援テーブルのうちの１つの入力支援テーブルとを配信する。
【００６７】
計測結果収集部５５は、無線ＬＡＮ６を介して複数の携帯端末７−１〜７−ｍから計測結果を収集する。計測結果マップ作成部５６は、作業対象場所設定部５１により作成された検査対象場所テーブルと計測結果収集部５５により収集された計測結果とに基づいて複数の計測結果マップを作成する。複数の計測結果マップは、画像により表現されている。計測結果マップ作成部５６は、入力装置４１に所定の操作がされることに応答して、複数の計測結果マップを表示装置４２に表示する。
【００６８】
進捗マップ更新部５７は、作業対象場所設定部５１により作成された検査対象場所テーブルに基づいて複数の進捗マップを作成する。複数の進捗マップは、それぞれ、画像により表現されている。進捗マップ更新部５７は、入力画面配信部５４により複数の携帯端末７−１〜７−ｍから受信される情報に基づいて、または、計測結果収集部５５により複数の携帯端末７−１〜７−ｍから収集される情報に基づいて、複数の進捗マップを更新する。
【００６９】
進捗マップ配信部５８は、無線ＬＡＮ６を介して携帯端末７−ｊから所定の情報が受信されたときに、無線ＬＡＮ６を介して携帯端末７−ｊに進捗マップ更新部５７により更新された複数の進捗マップのうちの１つの進捗マップを配信する。
【００７０】
人員不足計算部５９は、進捗マップ更新部５７により更新された複数の進捗マップに基づいて人員不足情報を作成し、インターネット２を介して人員不足情報をセンターサーバ３に送信する。
【００７１】
レポート作成部６０は、計測結果収集部５５により収集された計測結果と計測結果マップ作成部５６により作成された計測結果マップとに基づいて、計測結果レポートを作成する。
【００７２】
図７は、作業対象場所設定部５１により作成された検査対象場所テーブルを示している。その検査対象場所テーブル６１は、複数の検査方法６２を複数の作業対象場所集合６３に対応付けている。すなわち、複数の検査方法６２のうちの任意の検査方法は、複数の作業対象場所集合６３のうちの１つの検査対象場所集合に対応している。複数の検査方法６２は、オーダ情報２０の複数の検査対象２２のうちの検査支援装置５−ｉに対応づけられた検査対象で実行される複数の検査方法を示し、すなわち、オーダ情報２０の複数の検査項目２３のうちのその検査対象に対応する検査項目が示す複数の検査方法を示している。複数の作業対象場所集合６３のうちのある検査方法に対応する検査対象場所集合は、検査支援装置５−ｉに対応づけられた検査対象が分割された複数の検査対象場所を示している。複数の検査対象場所の各々は、検査対象のうちのその検査方法が実行される単位領域を示している。
【００７３】
入力画面設定部５３は、検査対象場所テーブル６１の複数の検査方法６２に対応する複数の入力画面を作成する。図８は、複数の入力画面のうちのある検査方法に対応する入力画面を示している。その入力画面８１は、複数の入力欄８２と写真撮影ボタン８３と前回計測値表示ボタン８４と検査完了ボタン８５とアップロードボタン８６とを表示している。複数の入力欄８２は、その検査方法が実行されることにより生成される計測結果を示す複数の情報に対応している。複数の入力欄８２のうちのある情報に対応する入力欄は、その情報の形式に対応するように形成されている。たとえば、その入力欄は、その情報が数値により表現されるときに数値が入力されるように形成され、その情報が文字列により表現されるときに文字列が入力されるように形成され、その情報が２次元画像により表現されるときに２次元画像が入力されるように形成されている。
【００７４】
入力画面設定部５３は、ある検査方法に対応する入力画面８１に対応付けて、複数の作業対象場所集合６３のうちのその検査方法に対応する検査対象場所集合が示す複数の検査対象場所に対応する複数の入力支援テーブルを作成する。
【００７５】
図９は、入力画面８１に対応付けられる複数の入力支援テーブルのうちのある作業対処場所に対応する入力支援テーブルを示している。その入力支援テーブル６５は、複数の入力欄６６に複数のクライテリア６７と複数の過去計測結果６８とが対応付けられている。すなわち、複数の入力欄６６の任意の入力欄は、複数のクライテリア６７のうちの１つのクライテリアに対応し、複数の過去計測結果６８のうちの１つの過去計測結果に対応している。複数の入力欄６６は、入力画面８１に表示される複数の入力欄８２をそれぞれ示している。
【００７６】
複数のクライテリア６７のうちのある入力欄に対応するクライテリアは、その入力欄を用いて入力される情報の条件を示している。たとえば、そのクライテリアは、その情報が数値で表現されるときに、数値範囲を示している。複数の過去計測結果６８のうちのある入力欄に対応する過去計測結果は、前回に検査方法が実行されたことにより生成された計測結果が示す複数の情報のうちのその入力欄に対応する情報を示している。
【００７７】
進捗マップ更新部５７により作成された複数の進捗マップは、複数の検査方法６２に対応している。複数の進捗マップのうちのある検査方法に対応する進捗マップは、その検査方法の進捗を示している。
【００７８】
図１０は、複数の進捗マップ７２のうちのある検査方法に対応する進捗マップを示している。その進捗マップ７３は、検査対象図形７４を示している。検査対象図形７４は、検査対象を示している。検査対象図形７４は、複数の検査対象場所図形７５に分割されている。複数の検査対象場所図形７５は、検査対象場所テーブル６１が示す複数の作業対象場所集合６３のうちのその検査方法に対応する検査対象場所集合が示す複数の検査対象場所に対応している。
【００７９】
進捗マップ７３は、複数の検査対象場所図形７５の各々を黄色とオレンジ色と青色とのうちのいずれかの色で表示することにより、複数の検査対象場所の検査方法の進捗を示している。すなわち、複数の検査対象場所図形７５のうちのある検査対象場所に対応する検査対象場所図形は、その検査対象場所がまだ検査されていないときに黄色で表示され、その検査対象場所で検査が着手されているときにオレンジ色で表示され、その検査対象場所の検査が完了したときに青色で表示されている。
【００８０】
計測結果マップ作成部５６により作成される複数の計測結果マップは、進捗マップ更新部５７により作成される複数の進捗マップと同様にして、複数の検査方法６２に対応付けられている。さらに、複数の計測結果マップのうちのある検査方法に対応する計測結果マップは、進捗マップ７３と同様にして、検査対象図形７４と検査対象図形７４が分割された複数の検査対象場所図形７５とが表示されている。計測結果マップは、複数の検査対象場所図形７５の各々を黄色と青色と赤色のうちのいずれかの色で表示することにより、複数の検査対象場所での検査によりそれぞれ生成された計測結果を示している。すなわち、複数の検査対象場所図形７５のうちのある検査対象場所に対応する検査対象場所図形は、その検査対象場所の計測結果がまだ検査支援装置５−ｉにアップロードされていないときに黄色で表示され、その検査対象場所の計測結果が正常値であるときに青色で表示され、その検査対象場所の計測結果が異常値であるときに赤色で表示されている。
【００８１】
図１１は、複数の携帯端末７−１〜７−ｍのうちの任意の携帯端末７−ｊ（ｊ＝１，２，３，…，ｍ）を示している。携帯端末７−ｊは、図示されていないＣＰＵと記憶装置とメモリドライブと通信装置とを備え、タッチパネル９１とカメラ９２とを備えている。ＣＰＵは、携帯端末７−ｊにインストールされるコンピュータプログラムを実行することにより、記憶装置とメモリドライブと通信装置とを制御し、タッチパネル９１と表示装置４２とを制御する。記憶装置は、コンピュータプログラムを記録する。記憶装置は、さらに、ＣＰＵにより利用される情報を記録する。メモリドライブは、コンピュータプログラムが記録されている記録媒体が挿入されたときに、コンピュータプログラムを携帯端末７−ｊにインストールするときに利用される。通信装置は、通信回線網を介して携帯端末７−ｊに接続される他のコンピュータからコンピュータプログラムを携帯端末７−ｊにダウンロードし、コンピュータプログラムを携帯端末７−ｊにインストールするときに利用される。
【００８２】
タッチパネル９１は、表示面を備え、ＣＰＵにより生成される画像を表示面に表示する。タッチパネル９１は、さらに、表示面がユーザに操作されることにより情報を生成し、その情報をＣＰＵに出力する。カメラ９２は、ＣＰＵに制御されることにより被写体を撮影し、被写体が撮影されたことにより生成された画像をＣＰＵに出力する。
【００８３】
携帯端末７−ｊにインストールされるコンピュータプログラムは、携帯端末７−ｊに複数の機能をそれぞれ実現させるための複数のコンピュータプログラムから形成されている。その複数の機能は、進捗マップ表示部９３と計測結果入力部９４と警報部９５と計測結果送信部９６と計測結果削除部９７とを含んでいる。
【００８４】
進捗マップ表示部９３は、タッチパネル９１を介して入力された情報に基づいて、検査対象場所テーブル６１の複数の検査方法６２から１つの検査方法を選択する。進捗マップ表示部９３は、無線ＬＡＮ６を介してその選択された検査方法を検査支援装置５−ｉに送信する。進捗マップ表示部９３は、さらに、無線ＬＡＮ６を介して検査支援装置５−ｉから配信された進捗マップをタッチパネル９１に表示する。
【００８５】
計測結果入力部９４は、タッチパネル９１を介して入力された情報に基づいて、検査対象場所テーブル６１の複数の検査方法６２から１つの検査方法を選択する。計測結果入力部９４は、さらに、タッチパネル９１を介して入力された情報に基づいて、複数の作業対象場所集合６３のうちのその選択された検査方法に対応する作業対象場所集合が示す複数の作業対象場所から１つの作業対象場所を選択する。計測結果入力部９４は、さらに、無線ＬＡＮ６を介してその選択された検査方法と作業対象場所とを検査支援装置５−ｉに送信する。
【００８６】
計測結果入力部９４は、さらに、無線ＬＡＮ６を介して検査支援装置５−ｉから配信された入力画面８１をタッチパネル９１に表示する。計測結果入力部９４は、さらに、タッチパネル９１を介して入力された情報に基づいて入力画面８１の複数の入力欄のうちの１つの入力欄が選択されたときに、タッチパネル９１を介して入力された情報をその入力欄に記入する。計測結果入力部９４は、さらに、入力画面８１の写真撮影ボタン８３がタップされたときに、カメラ９２が向けられた被写体が撮影されるようにカメラ９２を制御し、複数の入力欄のうちの画像に対応する入力欄にその被写体の画像を記入する。
【００８７】
計測結果送信部９６は、タッチパネル９１に表示されている入力画面８１の前回計測値表示ボタン８４がタップされたときに、入力支援テーブル６５の複数の過去計測結果６８をタッチパネル９１に表示する。
【００８８】
計測結果送信部９６は、タッチパネル９１に表示されている入力画面８１の検査完了ボタン８５がタップされたときに、複数の入力欄８２に記入された計測結果を計測結果入力部９４により選択された検査方法と作業対象場所とに対応付けて記憶装置に記録する。
【００８９】
警報部９５は、複数の入力欄８２のうちの１つの入力欄に情報が記入されたときに、その情報が複数のクライテリア６７のうちのその入力欄に対応するクライテリアを満足するかどうかを判定する。警報部９５は、複数の入力欄８２のうちの１つの入力欄に記入された情報が複数のクライテリア６７のうちのその入力欄に対応するクライテリアを満足しないときに、その旨を示す警報をタッチパネル９１に表示する。
【００９０】
計測結果送信部９６は、タッチパネル９１に表示されている入力画面８１のアップロードボタン８６がタップされたときに、無線ＬＡＮ６を介して、複数の入力欄８２に記入された計測結果を計測結果入力部９４により選択された検査方法と作業対象場所とに対応付けて検査支援装置５−ｉに送信する。
【００９１】
計測結果削除部９７は、無線ＬＡＮ６を介して検査方法と作業対象場所とが検査支援装置５−ｉから携帯端末７−ｊに配信されたときに、検査方法と作業対象場所とに対応付けられて記録された計測結果を削除する。
【００９２】
検査支援方法の実施の形態は、検査支援システム１により実行され、複数の作業者を複数の工事に割り当てる動作と、複数の検査対象場所および入力画面を設定する動作と、計測結果を収集する動作と、進捗マップを配信する動作と、スケジュールを更新する動作とを備えている。
【００９３】
複数の作業者を複数の工事に割り当てる動作では、センターサーバ３を使用するスケジュール管理者は、複数の工事が発注された後に、まず、入力装置１１を操作することにより所定の情報をセンターサーバ３に入力し、センターサーバ３は、入力された情報に基づいてオーダ情報２０を作成する。センターサーバ３は、さらに、オーダ情報２０と人材テーブル３１とを参照して、作業者割当情報３５を作成する。
【００９４】
このとき、作業者割当情報３５は、複数の作業者集合３７のうちのある工事に対応する作業者集合に含まれる任意の作業者に関して、人材テーブル３１の複数のスキル３３のうちのその作業者に対応するスキルがオーダ情報２０の複数の必要スキル２６のうちのその工事に対応する必要スキルを満足するように、作成される。作業者割当情報３５は、さらに、作業者割当情報３５の複数の作業者集合３７のうちのある工事に対応する作業者集合が、オーダ情報２０の複数の固定作業者２７のうちのその工事に対応する固定作業者を含むように、作成される。作業者割当情報３５は、さらに、作業者割当情報３５の複数の作業者集合３７のうちのある工事に対応する作業者集合が、オーダ情報２０の複数の除外作業者２８のうちのその工事に対応する除外作業者を含まないように、作成される。作業者割当情報３５は、さらに、人材テーブル３１の複数の作業者３２の任意の作業者が、期間が重なる複数の工事に重複して割り当てられないように、作成される。
【００９５】
このような動作によれば、センターサーバ３を使用するスケジュール管理者は、作業者割当情報３５が作成された後に、作業者割当情報３５に基づいて複数の検査対象に複数の作業者を容易に派遣することができる。このような動作によれば、さらに、複数の検査対象に所定のスキルを有する複数の作業者が割り当てられることにより、スケジュール管理者は、複数の検査対象に複数の作業者を適切に派遣することができる。スケジュール管理者は、さらに、複数の検査対象に複数の作業者を容易に割り当てることができ、オーダ情報２０の複数の固定作業者２７を適切に作成することにより、所定の作業者が所定の工事に必ず割り当てられるように、複数の作業者を適切に複数の工事に割り当てることができる。スケジュール管理者は、さらに、複数の検査対象に複数の作業者を容易に割り当てることができ、オーダ情報２０の複数の除外作業者２８を適切に作成することにより、所定の作業者が所定の工事に割り当てられないように、複数の作業者を適切に複数の工事に割り当てることができる。
【００９６】
複数の検査対象場所および入力画面を設定する動作は、検査支援装置５−ｉにより実行される。検査支援装置５−ｉを使用する現地監督者は、入力装置４１を操作することにより所定の情報を検査支援装置５−ｉに入力し、検査支援装置５−ｉは、入力された情報に基づいて検査対象場所テーブル６１を作成する。検査支援装置５−ｉは、無線ＬＡＮ６を介して検査対象場所テーブル６１を複数の携帯端末７−１〜７−ｍに配信する。携帯端末７−ｊは、検査支援装置５−ｉから配信された検査対象場所テーブル６１を記憶装置に記録する。現地監督者は、さらに、入力装置４１を操作することにより所定の情報を検査支援装置５−ｉに入力し、検査支援装置５−ｉは、入力された情報に基づいて、検査支援装置５−ｉに対応付けられた検査対象で実行される複数の検査方法に対応する複数の入力画面を作成する。検査支援装置５−ｉのユーザは、さらに、入力装置４１を操作することにより所定の情報を検査支援装置５−ｉに入力し、検査支援装置５−ｉは、入力された情報に基づいて、その複数の入力画面ごとに入力支援テーブル６５を作成する。
【００９７】
図１２は、計測結果を収集する動作を示している。携帯端末７−ｊを使用する作業者は、検査対象場所テーブル６１の複数の作業対象場所集合６３のうちのある検査方法に対応する作業対象場所集合が示す複数の作業対象場所のうちの現地監督者により割り当てられた作業対象場所に移動する。作業者は、まず、携帯端末７−ｊのタッチパネル９１を操作することにより、携帯端末７−ｊに記録されている検査対象場所テーブル６１が示す複数の検査方法６２からその検査方法を選択する。作業者は、さらに、タッチパネル９１を操作することにより、複数の作業対象場所集合６３のうちのその選択された検査方法に対応する作業対象場所集合が示す複数の作業対象場所から作業対象場所を選択する（ステップＳ１）。携帯端末７−ｊは、選択された検査方法と作業対象場所とを検査支援装置５−ｉに送信することにより、検査支援装置５−ｉに入力画面を要求する（ステップＳ２）。
【００９８】
検査支援装置５−ｉは、携帯端末７−ｊから検査方法と作業対象場所とを受信すると、複数の進捗マップ７２のうちのその検査方法に対応する進捗マップを更新する（ステップＳ３）。このとき、その進捗マップは、複数の検査対象場所図形７５のうちのその作業対象場所に対応する検査対象場所図形がオレンジ色で表示されるように、更新される。
【００９９】
検査支援装置５−ｉは、携帯端末７−ｊから検査方法と作業対象場所とを受信すると、さらに、現地監督者により作成された複数の入力画面のうちのその検査方法に対応する入力画面と、その入力画面に対応付けられた複数の入力支援テーブルのうちのその作業対象場所に対応する入力支援テーブル６５を携帯端末７−ｊに配信する（ステップＳ４）。
【０１００】
携帯端末７−ｊは、検査支援装置５−ｉから配信された入力画面８１をタッチパネル９１に表示する（ステップＳ５）。携帯端末７−ｊを使用する作業者は、その選択された作業対象場所で、その選択された検査方法を実行することにより、複数の情報を取得する。携帯端末７−ｊを使用する現地監督者は、タッチパネル９１を操作することにより、その複数の情報を入力画面８１の複数の入力欄８２にそれぞれ記入する（ステップＳ６）。このとき、携帯端末７−ｊは、入力画面８１の写真撮影ボタン８３がタップされたときに、カメラ９２を用いて被写体を撮影し、複数の入力欄８２のうちの画像に対応する入力欄にその被写体の画像を記入する。
【０１０１】
携帯端末７−ｊは、さらに、入力画面８１の前回計測値表示ボタン８４がタップされたときに、入力支援テーブル６５の複数の過去計測結果６８を表示する。このような表示によれば、作業者は、前回の計測結果を容易に閲覧することができ、前回の計測結果を参照して入力欄に計測結果を記入することができる。
【０１０２】
携帯端末７−ｊは、入力支援テーブル６５を参照して、複数の入力欄８２にそれぞれ入力された複数の情報の各々が正常であるか異常であるかを判定する（ステップＳ７）。携帯端末７−ｊは、複数の入力欄８２のうちのある入力欄に入力された情報が、入力支援テーブル６５の複数のクライテリア６７のうちのその入力欄に対応するクライテリアを満足しないときに（ステップＳ７、異常）、その情報が異常であることをタッチパネル９１に表示して警告する（ステップＳ８）。
【０１０３】
携帯端末７−ｊは、入力画面８１の検査完了ボタン８５がタップされたときに、複数の入力欄８２にそれぞれ記入された複数の情報を示す計測結果をステップＳ１で選択された検査方法と作業対処場所とに対応付けて記憶装置に記録する（ステップＳ９）。
【０１０４】
携帯端末７−ｊは、入力画面８１のアップロードボタン８６がクリックされたときに、記憶装置に記録された計測結果をその検査方法と作業対処場所とに対応付けて検査支援装置５−ｉに送信する（ステップＳ１０）。
【０１０５】
検査支援装置５−ｉは、携帯端末７−ｊから計測結果を受信すると、その検査方法と作業対象場所とに対応付けてその複数の計測結果を記憶装置に記録する（ステップＳ１１）。検査支援装置５−ｉは、その複数の計測結果を記録した後に、検査方法と作業対象場所とを携帯端末７−ｊに送信することにより、その計測結果が適切にアップロードされたことを携帯端末７−ｊに通知する（ステップＳ１２）。
【０１０６】
検査支援装置５−ｉは、さらに、その複数の計測結果に基づいて計測結果マップを更新する（ステップＳ１３）。このとき、その計測結果マップは、その複数の計測結果の全部が正常であるときに複数の検査対象場所図形７５のうちのその作業対象場所に対応する検査対象場所図形が青色で表示されるように、更新される。その計測結果マップは、さらにその複数の計測結果に異常な値が含まれているときに複数の検査対象場所図形７５のうちのその作業対象場所に対応する検査対象場所図形が赤色で表示されるように、更新される。
【０１０７】
携帯端末７−ｊは、計測結果がアップロードされたことを検査支援装置５−ｉから受信すると、受信した検査方法と作業対象場所とに対応付けられた複数の計測結果を記憶装置から削除する（ステップＳ１４）。
【０１０８】
このような動作によれば、携帯端末７−ｊに記録された複数の計測結果は、検査支援装置５−ｉに適切にアップロードされた後に、記憶装置から自動的に削除されることにより、計測結果が情報漏えいすることを防止することができる。
【０１０９】
図１３は、進捗マップを配信する動作を示している。携帯端末７−ｊを使用する作業者は、タッチパネル９１を操作することにより、検査対象場所テーブル６１の複数の検査方法６２から１つの検査方法を選択する（ステップＳ２１）。携帯端末７−ｊは、検査方法が選択されると、その検査方法を検査支援装置５−ｉに送信することにより、検査支援装置５−ｉに進捗マップを要求する（ステップＳ２２）。
【０１１０】
検査支援装置５−ｉは、携帯端末７−ｊから検査方法を受信すると、進捗マップテーブルの複数の進捗マップのうちのその検査方法に対応する進捗マップを携帯端末７−ｊに配信する（ステップＳ２３）。携帯端末７−ｊは、検査支援装置５−ｉから進捗マップを受信すると、その進捗マップをタッチパネル９１に表示する（ステップＳ２４）。
【０１１１】
このような動作によれば、作業者は、携帯端末７−ｊを用いて進捗マップを閲覧することにより、その検査方法が実施されていない作業対象場所を把握することができる。このため、作業者は、次に作業する作業対象場所を把握するために、現地監督者がいる詰所に戻る必要がなく、詰所を経由しないで次に作業する作業対象場所に直接に移動することができ、作業対象場所間の移動時間を短縮することができる。その結果、このような動作によれば、作業者が移動する時間を短縮することにより、その分、工事が実行される期間を短縮することができ、コストを低減することができる。
【０１１２】
図１４は、スケジュールを更新する動作を示している。検査支援装置５−ｉは、所定の期間（たとえば、１日）ごとに間欠的に、複数の進捗マップ７２に基づいて人員不足情報を作成する（ステップＳ３１）。人員不足情報は、検査支援装置５−ｉに対応する工事が進む計画とその工事が進んでいる実績との差を示している。検査支援装置５−ｉは、人員不足情報を作成すると、その人員不足情報をセンターサーバ３に送信する（ステップＳ３２）。
【０１１３】
センターサーバ３は、複数の検査支援装置５−１〜５−ｎから複数の人員不足情報をそれぞれ収集すると、その複数の人員不足情報に基づいて、作業者割当情報３５の更新の必要があるかどうかを判別する（ステップＳ３３）。たとえば、複数の人員不足情報が、いずれかの工事の進捗が計画より遅れていることを示しているときに、作業者割当情報３５の更新が必要であると判別される。
【０１１４】
センターサーバ３は、作業者割当情報３５の更新の必要があると判別されたときに（ステップＳ３３、必要）、作業者割当情報３５を更新する（ステップＳ３４）。たとえば、作業者割当情報３５は、進捗が計画より進んでいる工事に割り当てられた作業者を、進捗が計画より遅れている工事に割り当てるように、更新される。センターサーバ３は、作業者割当情報３５が更新された後に、作業者割当情報３５を複数の検査支援装置５−１〜５−ｎに配信することより、複数の検査支援装置５−１〜５−ｎを利用している複数の現地監督者に、スケジュールが変更されたことを通知する（ステップＳ３５）。検査支援装置５−ｉは、センターサーバ３から作業者割当情報３５を受信すると、作業者割当情報３５を表示装置４２に表示する（ステップＳ３６）。
【０１１５】
センターサーバ３を使用するスケジュール管理者は、作業者割当情報３５が更新された後に、作業者割当情報３５に基づいて複数の検査対象に複数の作業者を派遣する。
【０１１６】
このような動作によれば、スケジュール管理者は、センターサーバ３を使用することにより、複数の工事の進捗を適宜把握することができ、適切にリスケジューリングすることができる。
【０１１７】
なお、センターサーバ３と検査支援装置５−ｉと携帯端末７−ｊとは、それぞれ、不要である機能を省略することができる。このようなセンターサーバと検査支援装置と携帯端末とが適用された検査支援システムも、既述の実施の形態における検査支援システム１と同様にして、検査対象を適切に検査することができる。
【符号の説明】
【０１１８】
１  ：検査支援システム
２  ：インターネット
３  ：センターサーバ
５−１〜５−ｎ：複数の検査支援装置
６  ：無線ＬＡＮ
７−１〜７−ｍ：複数の携帯端末
１１：入力装置
１２：表示装置
１４：オーダ情報作成部
１５：スケジュール作成部
１６：人員不足情報収集部
１７：リスケジューリング部
２０：オーダ情報
２１：複数の工事
２２：複数の検査対象
２３：複数の検査項目
２４：複数の期間
２５：複数の人数情報
２６：複数の必要スキル
２７：複数の固定作業者
２８：複数の除外作業者
３１：人材テーブル
３２：複数の作業者
３３：複数のスキル
３５：作業者割当情報
３７：複数の作業者集合
４１：入力装置
４２：表示装置
５１：作業対象場所設定部
５２：クライテリア設定部
５３：入力画面設定部
５４：入力画面配信部
５５：計測結果収集部
５６：計測結果マップ作成部
５７：進捗マップ更新部
５８：進捗マップ配信部
５９：人員不足計算部
６０：レポート作成部
６１：検査対象場所テーブル
６２：複数の検査方法
６３：複数の作業対象場所集合
６５：入力支援テーブル
６６：複数の入力欄
６７：複数のクライテリア
６８：複数の過去計測結果
７３：進捗マップ
７４：検査対象図形
７５：複数の検査対象場所図形
８１：入力画面
８２：複数の入力欄
８３：写真撮影ボタン
８４：前回計測値表示ボタン
８５：検査完了ボタン
８６：アップロードボタン
９１：タッチパネル
９２：カメラ
９３：進捗マップ表示部
９４：計測結果入力部
９５：警報部
９６：計測結果送信部
９７：計測結果削除部
【図１】
2015121871.tif 000003
【図２】
2015121871.tif 000004
【図３】
2015121871.tif 000005
【図４】
2015121871.tif 000006
【図５】
2015121871.tif 000007
【図６】
2015121871.tif 000008
【図７】
2015121871.tif 000009
【図８】
2015121871.tif 000010
【図９】
2015121871.tif 000011
【図１０】
2015121871.tif 000012
【図１１】
2015121871.tif 000013
【図１２】
2015121871.tif 000014
【図１３】
2015121871.tif 000015
【図１４】
2015121871.tif 000016